(57)【要約】【課題】  化粧品に当てる磁界の強さを高める包装兼塗布器具を提供する。【解決手段】  本発明は、製品を包装すると共に塗布する器具（１）であって、製品（Ｐ）を収容する容器（２）と、容器から出る製品を通すよう形作られたハウジング（４）を構成し、分散状態の磁性粒子を含む支持体（５）と、ハウジング（４）内に保持されたアプリケータ部材（３）とを有することを特徴とする器具（１）を提供する。【選択図】      図１
2005312980.tif 000002
【特許請求の範囲】
【請求項１】
製品を包装すると共に塗布する器具（１）であって、
・製品（Ｐ）を収容する容器（２）と、
・容器から出た製品を通過させるハウジング（４）を構成し、分散状態の磁性粒子（１０）を含む支持体（５）と、
・ハウジング（４）内に保持されたアプリケータ部材（３）とを有することを特徴とする器具。
【請求項２】
支持体（５）は、分散状態の磁性粒子を含む単一品として成形された部品であることを特徴とする請求項１記載の器具。
【請求項３】
アプリケータ部材（３）は、ハウジング（４）内で回転できないことを特徴とする請求項１又は２記載の器具。
【請求項４】
アプリケータ部材（３）は、ハウジング（４）内で回転運動可能であることを特徴とする請求項１又は２記載の器具。
【請求項５】
アプリケータ部材（３）は、ハウジング（４）内で点（Ｏ）を中心として回転運動可能であることを特徴とする請求項４記載の器具。
【請求項６】
アプリケータ部材（３）は、ハウジング（４）内で軸線（Ｘ）を中心として回転運動可能であることを特徴とする請求項１又は２記載の器具。
【請求項７】
回転軸線（Ｘ）は、器具の長手方向軸線（Ｙ）に垂直であることを特徴とする請求項６記載の器具。
【請求項８】
アプリケータ部材（３）は、実質的に球形、円筒形、卵形、円盤状、環状又はナンキンマメ状の形態をしていることを特徴とする請求項１〜７のうちいずれか一に記載の器具。
【請求項９】
アプリケータ部材（３）は、回転体であることを特徴とする請求項１〜８のうちいずれか一に記載の器具。
【請求項１０】
アプリケータ部材（３）は、裸眼に見える少なくとも１つの空所（３０）を有することを特徴とする請求項１〜９のうちいずれか一に記載の器具。
【請求項１１】
アプリケータ部材（３）は、少なくとも１つの羽根（３１）を有することを特徴とする請求項１〜１０のうちいずれか一に記載の器具。
【請求項１２】
アプリケータ部材（３）は、少なくとも１つの貫通路（３５）を有することを特徴とする請求項１〜１１のうちいずれか一に記載の器具。
【請求項１３】
アプリケータ部材（３）の最大寸法は、５ｍｍ〜６５ｍｍであることを特徴とする請求項１〜１２のうちいずれか一に記載の器具。
【請求項１４】
アプリケータ部材（３）の最大寸法は、７ｍｍ〜５０ｍｍであることを特徴とする請求項１〜１３のうちいずれか一に記載の器具。
【請求項１５】
アプリケータ部材（３）は、使用中、実質的に変形しないことを特徴とする請求項１〜１４のうちいずれか一に記載の器具。
【請求項１６】
アプリケータ部材は、塗布の際に変形可能な材料で作られていることを特徴とする請求項１〜１４のうちいずれか一に記載の器具。
【請求項１７】
アプリケータ部材は、弾性変形可能な材料で作られていることを特徴とする請求項１〜１４のうちいずれか一に記載の器具。
【請求項１８】
前記器具は、製品をアプリケータ部材に移送する部材（４６）を有することを特徴とする請求項１〜１７のうちいずれか一に記載の器具。
【請求項１９】
支持体（５）は、容器（２）内に設けられたポンプ（２１）のロッド（２０）に固定されていることを特徴とする請求項１〜１５のうちいずれか一に記載の器具。
【請求項２０】
支持体（５）は、製品を収容した容器（２）との一体品として作られていることを特徴とする請求項１〜１５のうちいずれか一に記載の器具。
【請求項２１】
アプリケータ部材（３）は、磁性粒子（１０）を含むことを特徴とする請求項１〜２０のうちいずれか一に記載の器具。
【請求項２２】
支持体（５）及び（又は）アプリケータ部材（３）は、５重量％〜９０重量％の磁性粒子を含むことを特徴とする請求項１〜２１のうちいずれか一に記載の器具。
【請求項２３】
支持体（５）及び（又は）アプリケータ部材（３）は、７重量％〜７５重量％の磁性粒子を含むことを特徴とする請求項１〜２２のうちいずれか一に記載の器具。
【請求項２４】
支持体（５）及び（又は）アプリケータ部材（３）は、１５重量％〜７０重量％の磁性粒子を含むことを特徴とする請求項１〜２３のうちいずれか一に記載の器具。
【請求項２５】
前記器具は、塗布の際に可変磁界を作るよう構成されていることを特徴とする請求項１〜２４のうちいずれか一に記載の器具。
【請求項２６】
磁性粒子は、被覆されていることを特徴とする請求項１〜２５のうちいずれか一に記載の器具。
【請求項２７】
磁性粒子は、着色されていることを特徴とする請求項１〜２６のうちいずれか一に記載の器具。
【請求項２８】
支持体（５）は、塗布中変形できるよう構成されていることを特徴とする請求項１〜２７のうちいずれか一に記載の器具。
【請求項２９】
支持体（５）は、一部が、アプリケータ部材（３）の構成材料よりも可撓性の高い材料で作られていることを特徴とする請求項２８記載の器具。
【請求項３０】
アプリケータ部材（３）は、支持体により生じる磁界の向きとは異なる向きの磁界を発生することを特徴とする請求項１〜２９のうちいずれか一に記載の器具。
【請求項３１】
製品は、アプリケータ部材（３）と支持体（５）との間に形成されていて、磁界が存在する空間（８０）内を流れることができることを特徴とする請求項１〜３０のうちいずれか一に記載の器具。
【請求項３２】
製品を包装すると共に塗布する器具を製造する方法であって、
・製品を通過させるよう形作られたハウジング（４）を構成する支持体（５）と、支持体のハウジング内に保持されたアプリケータ部材（３）とを有し、支持体が分散状態の磁性粒子を含む組立体（６０）を準備する工程と、
・磁界を組立体に加えて支持体の磁性粒子及び（又は）アプリケータ部材が磁性粒子を含む場合にはアプリケータ部材の磁性粒子を磁化する工程とを有することを特徴とする方法。
【請求項３３】
組立体（６０）を磁化した後、前記組立体を既に製品で満たされた容器に取り付けることを特徴とする請求項３２記載の方法。
【請求項３４】
製品を塗布する方法であって、
・製品を包装すると共に塗布する器具（１）を用意する段階を有し、前記器具は、容器から出た製品を通過させるよう形作られたハウジング（４）を構成し、分散状態の磁性粒子を含む支持体（５）と、塗布中、支持体のハウジング内に保持された製品アプリケータ部材（３）とを有し、
・アプリケータ部材（３）が支持体に対して回転して製品を塗布するようにする段階を有することを特徴とする方法。
【発明の詳細な説明】
【技術分野】
【０００１】
本発明は、化粧品、特にメーキャップ又はケア製品を包装すると共に塗布する器具に関する。
【背景技術】
【０００２】
本発明の関連で用いられる「化粧品」という用語は、審議会指令７６／７６８／ＥＥＣを改訂した１９９３年６月１４日の審議会指令９３／３５／ＥＥＣにおいて定義されている製品を意味している。
欧州特許出願公開第１，３１４，３７３号明細書は、ハウジング内に回転自在に設けられたボールを有する製品の包装兼用塗布器具を記載しており、上記ボールは、製品に作用を及ぼすことができる少なくとも１つの物質を含む。特に、製品を塗布中、ボールにより生じる磁界にさらすことができる。かかる暴露は、例えば、製品の包装時には備えていない特性を製品の包装後に製品に与えることが意図されている。
【発明の開示】
【発明が解決しようとする課題】
【０００３】
例えば、製品及び（又は）処理面に当てる磁界の強さを高めることができる器具が要望されている。
また、磁界を別のやり方で生じさせる要望がある。
【課題を解決するための手段】
【０００４】
本発明は、上記要望のうち幾つか又は全てを満足させることを目的とする。
本発明は、一特徴では、製品を包装すると共に塗布する器具であって、
・製品を収容する容器と、
・容器から出た製品を通過させるハウジングを構成し、分散状態の磁性粒子を含む支持体と、
・ハウジング内に保持されたアプリケータ部材とを有することを特徴とする器具を提供する。
【０００５】
一実施形態では、支持体は、例えば、分散状態の磁性粒子を含む単一品として成形された部品である。支持体は、焼結材料であってもよい。
「磁性粒子」という表現は、その最も広い意味で解されるべきであり、磁化可能な粒子及び既に磁化された粒子を含む。
磁性粒子は、例えば、フェライト又は他の磁性酸化物であるのがよい。
本発明の具体化の一例では、ハウジング内で回転できない。
一実施形態では、アプリケータ部材は、例えば一点、特に対称中心を中心としてハウジング内で回転運動可能であるのがよい。変形例では、アプリケータ部材は、ハウジング内で軸線を中心として回転運動可能であってもよい。上記回転軸線は、特に、器具の長手方向軸線に垂直であるのがよい。
【０００６】
アプリケータ部材は、多種多様な形態、例えば、球形、円筒形、卵形、円盤状、環状又はナンキンマメ状の形態をしているのがよい。必要ならば、アプリケータ部材は、回転体である。アプリケータ部材の外面は、滑らかであってもよく、そうでなくてもよく、かかる外面は、フロック加工されていてもよく、そうでなくてもよく、そしてその表面外観は、完全に一様であってもよく、そうでなくてもよい。
製品は、アプリケータ部材と支持体との間に形成された空間内を流れることができ、磁界が上記空間内に存在する。
【０００７】
アプリケータ部材は、裸眼に見え、例えば、製品との交換領域を増大させ、製品の予備を構成すると共に（或いは）アプリケータ部材の入っているハウジングを通過しやすいようにするのに役立つ少なくとも１つの空所を有するのがよい。アプリケータ部材は、少なくとも１つの羽根を有するのがよい。アプリケータ部材の１又は複数の空所は、種々の仕方で作ることができる。少なくとも１つの空所は、貫通空所であってもよく、或いは、盲状態であってもよい。かくして、アプリケータ部材は、必要に応じて少なくとも１つの貫通路を有するのがよい。
少なくとも１つの空所は、リブ又は羽根相互間に形成されたクレータ又は空間の形態をしていてもよく、或いは、Ｖ字形溝又は完全に凸状ではない表面により構成されたものであってもよい。
【０００８】
アプリケータ部材の寸法形状は、容器の寸法形状、製品の性状及び（又は）処理される領域の性状の関数として選択可能である。アプリケータ部材の最も大きな寸法は、例えば、５ｍｍ（ミリメートル）〜６５ｍｍ、特に７ｍｍ〜５０ｍｍ（限度値を含む）であるのがよい。
アプリケータ部材は、塗布中、実質的に変形しないものであるのがよい。変形例として、アプリケータ部材は、例えば、塗布の際の変形を可能にする材料、特に弾性変形可能な材料で作られることにより塗布の際に変形できるよう構成されたものであるのがよい。
【０００９】
本発明の一実施形態では、支持体は、一部が、アプリケータ部材の構成材料よりも可撓性の高い材料で作られているのがよい。これにより、例えば、アプリケータ部材を塗布の際に容器に対して変位させて塗布の際にソフトな感じが得られるようにするのがよい。
器具は、製品をアプリケータ部材に移送する移送部材を有するのがよい。上記移送部材は、回転可能であるのがよい。
支持体は、容器に着脱自在に固定されていてもよく、そうでなくてもよい。支持体を、例えば、容器内に設けられたポンプのロッドに固定するのがよい。支持体は又、容器にスナップ装着可能であってもよい。支持体は又、容器との単一品として作られたものであってもよい。支持体及び容器は例えば、単一成形品であってもよい。
【００１０】
支持体は、例えば、射出成形によりプラスチック材料で作られたものであるのがよい。支持体のプラスチック材料は、熱可塑性ポリマー又は架橋ポリマーから成るのがよい。これは、高温又は低温（常温）重合成であるのがよく、任意的に、重合触媒を含むのがよい。特に、かかるポリマーは、次のリスト、即ち、ポリプロピレン（ＰＰ）、ポリスチレン（ＰＳ）、ポリエチレン（ＰＥ）、ポリアミド（ＰＡ）、特にＰＡ６、ポリエチレンテレフタレート（ＰＥＴ）、ポリアセタール（ＰＯＭ）、メタクリレート、ユリアホルムアルデヒド、メラミン及びシアノアクリレートから選択された少なくとも１つのポリマーから成るのがよい。このリストは、限定的なものではない。
【００１１】
アプリケータ部材は例えば、焼結材料から成るのがよく、特に、セラミックで作られたものであるのがよい。アプリケータ部材は、例えば、全体が焼結材料で作られたものであるのがよい。アプリケータ部材は、燃焼又は発火工程の助けを借りて作られたものであってもよい。アプリケータ部材は、多孔性であるのがよい。アプリケータ部材は又、例えばＰＥ、ＰＡ、ＰＥＴで作られたものであってもよいが、このリストが全てではない。適宜、少なくとも１つの空所の存在により、用いる材料の量を減少させることができ、かくして、アプリケータ部材のコストを減少させることができる。
アプリケータ部材は又、プラスチック材料を成形することにより、例えば、射出成形により作られたものであってもよく、この場合、裸眼に見える空所の有無は問わない。
【００１２】
アプリケータ部材は、磁性粒子、例えばフェライト又は他の磁性酸化物を含むのがよい。粒子は、被覆され又は着色されているのがよいが、そうでなくてもよい。
支持体及び（又は）アプリケータ部材中に入っている粒子の平均寸法は、０．１μｍ（マイクロメートル）〜４００μｍ、特に０．１μｍ〜１５０μｍであるのがよい。支持体及び（又は）アプリケータ部材は、５重量％〜９０重量％、特に７重量％〜７５重量％、好ましくは１５重量％〜７０重量％の粒子を含むのがよい。
粒子が被覆粒子である場合、これら粒子は例えば、第１の材料で作られたコア及び第１の材料とは異なる第２の材料で作られた包囲体とから成るのがよく、包囲体は、コアの周りに少なくと部分的に延びる。コア及び（又は）包囲体の材料は、磁性であるのがよい。粒子は例えば、次の形態、即ち、球形、細長い形状又は平らにされた形状のうち少なくとも１つを有するのがよい。
【００１３】
器具は、塗布中に変化する磁界、特に、アプリケータ部材が磁性であって可動である場合に起こる磁界を作るよう構成されたものであるのがよい。
アプリケータ部材は又、支持体により生じる磁界の向きとは異なる向きの磁界を発生するよう構成されたものであるのがよい。
【００１４】
独立して又は上記と組み合わせて、本発明は又、製品を包装すると共に塗布する器具であって、
・ハウジングを構成する磁性支持体と、
・製品を塗布するアプリケータ部材とを有し、アプリケータ部材は、塗布中、支持体のハウジング内に収納され、支持体のハウジング内で回転運動可能であることを特徴とする器具を提供する。
空間を支持体とアプリケータ部材との間に構成するのがよく、塗布のための製品は、この空間を通って流れることができる。磁界が上記空間内に存在するのがよい。
独立して又は上記と組み合わせて、本発明は又、製品を包装すると共に塗布する器具であって、
・ハウジングを構成する支持体と、
・製品を塗布する手段とを有し、該手段は、塗布中、支持体のハウジング内に収納され、アプリケータ部材は、実質的に変形せず、支持体は、磁性粒子を含むことを特徴とする器具を提供する。
【００１５】
独立して又は上記と組み合わせて本発明は又、製品を包装すると共に塗布する器具を製造する方法であって、
・製品を通過させるよう形作られたハウジングを構成する支持体と、支持体のハウジング内に保持されたアプリケータ部材とを有し、支持体が分散状態の磁性粒子を含む組立体を準備する工程と、
・磁界を組立体に加えて支持体の磁性粒子を磁化する工程とを有することを特徴とする方法を提供する。
組立体を磁化した後、上記組立体を既に製品で満たされた容器に取り付けるのがよい。
【００１６】
アプリケータ部材は、磁性粒子を更に含むのがよい。この場合、支持体とアプリケータ部材を同時に磁化するのがよい。
アプリケータ部材が支持体に対して動くことができ、例えば、特に塗布中回転運動できる場合、支持体及びアプリケータ部材のそれぞれの粒子により生じる磁界の向きは、種々の仕方で変わる場合がある。支持体及びアプリケータ部材のそれぞれの磁界を、例えば一方向と逆方向に交互に配向させることができる。上記磁界は又、互いに垂直に配向させることができる。
可変磁界は例えば、製品及び（又は）処理領域に新規な効果をもたらすことができると共に（或いは）処理の効率を向上させることができる。磁界は例えば、血液の微小循環に働きかけることができる。
【００１７】
独立して又は上記と組み合わせて、
本発明は又、製品を塗布する方法であって、
・製品を包装すると共に塗布する器具を用意する段階を有し、上記器具は、容器から出た製品を通過させるよう形作られたハウジングを構成し、分散状態の磁性粒子を含む支持体と、塗布中、支持体のハウジング内に保持された製品アプリケータ部材とを有し、
・アプリケータ部材が支持体に対して回転して製品を塗布するようにする段階を有することを特徴とする方法を提供する。
支持体は、特にプラスチック材料の単一品として成形された少なくとも１つの部品から成るのがよく、磁性粒子が、上記成形部品中に分散して位置している。
【発明を実施するための最良の形態】
【００１８】
本発明は、添付の図面を参照して行なわれる非限定的な実施形態についての以下の詳細な説明から一層よく理解されよう。
図１は、化粧品Ｐ、例えばメーキャップ又はケア製品を包装すると共に塗布する器具１を示しており、この器具１は、製品Ｐを収容した容器２及び製品を分配するアプリケータ部材３を有している。
アプリケータ部材３は、支持体５によって構成されたハウジング４内に受け入れられ、この支持体は、図示の例では、容器２のネック６にスナップ装着されている。ハウジング４は、容器２から出た製品を通し、製品は、図１４に概略的に示されているように、アプリケータ部材３と支持体５との間に形成された空間８０内を動くことができる。アプリケータ部材３は、或る特定の領域で支持体５に接触するのがよい。
【００１９】
図示の例の支持体５は、全体がプラスチック材料の単一品から成形されるが、本発明の範囲は、支持体５の一部だけをプラスチック材料の単一品から成形する状況を含む。少なくともプラスチック材料の単一品から成形された支持体の部分は、プラスチック材料中に分散した磁性粒子１０を有するのがよい。かくして、磁界が上記空間８０内に存在することができる。
粒子１０は、永続的に磁化されたものであってもよく、磁化可能なものであってもよい。これら粒子は、例えば、フェライト又は他の磁性酸化物であるのがよい。
【００２０】
図示の例では、アプリケータ部材３は、形態が実質的に球形であり、塗布の際に、実質的に変形しない。一例として、アプリケータ部材は、焼結材料、特に焼結熱可塑性材料で作られたものであるのがよい。
一例を挙げると、アプリケータ部材の最大寸法は、５ｍｍ〜６５ｍｍ、特に７ｍｍ〜５０ｍｍである。
アプリケータ部材３は、例えば、ハウジング４内へスナップ嵌めされ、かくして、アプリケータ部材は、磁気的吸引力以外の手段で支持体５内に保持されるが、図示の例では、アプリケータ部材は、ハウジング４内でその中心Ｏ回りに回転運動可能であり、その回転は、物質Ｐがハウジング４をより容易に通過するようにする一因となり得る。本発明の範囲は、アプリケータ部材３が、回転可能ではなく、例えば、ハウジング４内でクランプされる形態を含む。
【００２１】
図１に示す例では、アプリケータ部材３は、磁性粒子を含んでいないが、本発明の範囲は、支持体５と同様に、図２に示すように分散状態の磁性粒子１０を含むアプリケータ部材３に及ぶ。
アプリケータ部材３の粒子１０により生じる磁界は、アプリケータ部材３が図１３に示すように支持体５に対して回転して製品を処理されるべき表面に塗布する場合、特に支持体５の粒子により生じる磁界に対して粒子の向きを変化させることができる。かくして、製品及び（又は）その用途に関して新規な効果が得られる。
支持体５及び（又は）アプリケータ部材３中の粒子１０は、同一の性状のものであってもよく、或いは全てがそうでなくてもよい。支持体５及び（又は）アプリケータ部材３は特に、互いに異なる材料で作られた粒子１０の混合物から成る。
【００２２】
粒子１０は、種々の構造のものであってよい。特に、複合構造の粒子、即ち、少なくとも第１の材料で作られていて、第１の材料とは異なる第２の材料で作られた包囲体により少なくとも部分的に包囲されたコアを有する粒子を用いるのがよい。コア及び（又は）包囲体の材料は、磁性であるのがよい。粒子は、実質的に球形であるのがよく、或いは、他の或る形態のものであってよく、例えば、粒子は、実質的に細長い形態又は平らにされた形態であってよい。粒子は又、３以上の層を有する構造、例えば３層構造のものであってよい。粒子は又、コアの一部だけを包囲する包囲体を有してもよい。平均粒径は例えば、０．１μｍ〜４００μｍ、特に０．１μｍ〜１５０μｍであるのがよい。
【００２３】
支持体５及び（又は）アプリケータ部材３は、５重量％〜９０重量％、特に７重量％〜１５重量％、好ましくは１５重量％〜７０重量％の粒子１０を含むのがよい。
図１及び図２に示す例では、支持体５は、容器２のネックにスナップ装着されるが、本発明の範囲は、支持体５が図３に示すように例えば成形により容器２と一体品として作られる場合を含む。
支持体５のハウジング４は、製品の入った内部空間と直接連通してもよく、そうでなくてもよい。図１〜図３に示す例では、連通は、直接的である。図４に示す例では、連通は、間接的である。
この図４の例では、アプリケータ部材３及び支持体５は、ポンプ２１のロッド２０に固定されている。
【００２４】
製品Ｐは、ポンプ２１によって送り出され、例えば軟質パウチ２２から取り出される。ポンプを作動させるため、支持体５を内方に押し、支持体は、パウチ２２及びこれを収容した容器２に対して動くことができる。
アプリケータ部材３は、空所３０を有するのがよく、これら空所は、例えば、円板の形をしていて、図５に示すように中央コア３２によって結合された羽根３１相互間に延びる環状溝により形成されるものであるのがよい。適宜、上記空所は、ハウジング４内におけるアプリケータ部材３回りの製品の流れを容易にすることができる。
アプリケータ部材３は、他の方法で作られた空所を有してもよい。
一例を挙げると、図６は、例えば直径方向に沿って延びる通路３５を有するアプリケータ部材３を示している。貫通路３５を、例えば、図５に示すアプリケータ部材のコア３２中に作るのがよい。
【００２５】
変形例では、アプリケータ部材は、図７に示すように、形状が全体として球形の包囲体及び子午線に平行に延びる羽根３１により構成された空所３０を有してもよい。
別の変形例では、図８は、これまた、空所３０を含む球形である包囲体表面を有するアプリケータ部材３を示し、各空所は、四分円として形成された壁３６により分離された半球形の約１／４を占める。
本発明の範囲は、アプリケータ部材が形状において実質的に円筒形、環状、卵形又はナンキンマメ状である形態を含む。
上述の例では、アプリケータ部材は、一点の回りに回転運動可能であるが、本発明の範囲は、支持体のハウジング内の軸線回りに回転運動可能なアプリケータ部材に及ぶ。
【００２６】
一例を挙げると、図９及び図１０は、全体構造が米国特許第５，４０１，１１３号明細書から知られている器具を示しており、その詳細についてはかかる米国特許明細書を参照されたい。
この器具は、容器２及び器具の長手方向軸線Ｙに垂直な回転軸線Ｘ回りに回転自在な円板の形態をしたアプリケータ部材３を有する。回転自在な円板は、容器２に固定され、分散状態の磁性粒子１０を含む支持体５によって支持されている。回転自在な円板の下方領域は、容器２の内部に開口した支持体５のハウジング５３を通過する。円板の上方領域は、支持体５の上に延び、製品を塗布するよう働くことができる。
回転自在な円板は、外部からユーザにとって接近可能な軸方向端部を備えたハブ５５と一体であり、それによりユーザは、回転自在な円板を回転させることができる。
【００２７】
図１１は、全体構造が米国特許第５，８３６，３２０号明細書から知られている器具を示しており、その詳細については、この米国特許明細書を参照されたい。
製品は、回転自在な移送部材４６とアプリケータ部材３の接触により移送される。
上述の器具は、図１２に概略的に示されているように、磁気源６１により生じた電界をかけることにより磁化できる。
明らかなこととして、上述の種々の実施形態の特性を互いに組み合わせることができる。
特に、上述の実施形態の全てのアプリケータ部材を磁性粒子を含む状態で又は含まない状態で、又、空所を有し又は有さない状態で製作することが可能である。
【００２８】
本明細書全体を通じ、部材個数に関し、「〜を有する又は含む（comprises a ）」という用語は、特段の指定がなければ、「〜を少なくとも一つ有する又は含む（comprises at least of ）」という表現と同義であると解されるべきである。
【図面の簡単な説明】
【００２９】
【図１】本発明の器具の軸方向断面図である。
【図２】図１と類似した軸方向断面図であり、変形例を示す図である。
【図３】包装型アプリケータ器具の変形例を示す概略軸方向断面図である。
【図４】包装型アプリケータ器具の変形例を示す概略軸方向断面図である。
【図５】アプリケータ部材の別の例を示す図である。
【図６】アプリケータ部材の別の例を示す図である。
【図７】アプリケータ部材の別の例を示す図である。
【図８】アプリケータ部材の別の例を示す図である。
【図９】他の実施形態を示す軸方向概略断面図である。
【図１０】他の実施形態を示す軸方向概略断面図である。
【図１１】他の実施形態を示す軸方向概略断面図である。
【図１２】本発明に従って作られた器具の磁化状態を示す略図である。
【図１３】アプリケータ部材の回転中における支持体及びアプリケータの磁界の向きの変更状態を示す図である。
【図１４】図１の細部を示す図である。
【符号の説明】
【００３０】
１  包装兼塗布器具
２  容器
３  アプリケータ部材
４  ハウジング
５  支持体
６  ネック
１０  磁性粒子
２２  軟質パウチ
３０  空所
３５  貫通路
４６  移送部材
Ｐ  化粧品
【図１】
2005312980.tif 000003
【図２】
2005312980.tif 000004
【図３】
2005312980.tif 000005
【図４】
2005312980.tif 000006
【図５】
2005312980.tif 000007
【図６】
2005312980.tif 000008
【図７】
2005312980.tif 000009
【図８】
2005312980.tif 000010
【図９】
2005312980.tif 000011
【図１０】
2005312980.tif 000012
【図１１】
2005312980.tif 000013
【図１２】
2005312980.tif 000014
【図１３】
2005312980.tif 000015
【図１４】
2005312980.tif 000016
【外国語明細書】
2005312980.tif 000017
2005312980.tif 000018
2005312980.tif 000019
2005312980.tif 000020
2005312980.tif 000021
2005312980.tif 000022
2005312980.tif 000023
2005312980.tif 000024
2005312980.tif 000025
2005312980.tif 000026
2005312980.tif 000027
2005312980.tif 000028
2005312980.tif 000029
2005312980.tif 000030
2005312980.tif 000031
2005312980.tif 000032
2005312980.tif 000033
2005312980.tif 000034
2005312980.tif 000035
2005312980.tif 000036